(57)【要約】【課題】適切な状態に装着することが容易なフィルタを提供すること。【解決手段】ドラム式洗濯機のリントフィルタ（異物回収器）に装着して使用されるフィルタであり、当該フィルタは、所定幅で長手方向に延びるフィルタ本体１０を備えていると共に、当該フィルタ本体１０の長手方向Ｘに延びる両側縁１１，２１のうちの少なくとも何れか一方の側縁に、当該一方の側縁に対して交差する向きに形成された切込み１２，１３，２２，２３を備えているフィルタである。【選択図】図１
2019017753.tif 000002
【特許請求の範囲】
【請求項１】
ドラム式洗濯機のリントフィルタ（異物回収器）に装着して使用されるフィルタであり、
当該フィルタは、所定幅で長手方向に延びるフィルタ本体を備えていると共に、当該フィルタ本体の長手方向に延びる両側縁のうちの少なくとも何れか一方の側縁に、当該一方の側縁に対して交差する向きに形成された切込みを備えているフィルタ。
【請求項２】
ドラム式洗濯機のリントフィルタ（異物回収器）に装着して使用されるフィルタであり、
当該フィルタは、所定幅で長手方向に延びるフィルタ本体を備えていると共に、当該フィルタ本体の長手方向の一端部に形成された先細の凸部と、長手方向の他端部に形成された先細部とを備えているフィルタ。
【請求項３】
ドラム式洗濯機のリントフィルタ（異物回収器）に装着して使用されるフィルタであり、
当該フィルタは、所定幅で長手方向に延びるフィルタ本体を備えていると共に、当該フィルタ本体の長手方向の一端部に形成された先細の凸部を備えており、
さらに、
前記フィルタは、前記フィルタ本体の長手方向に延びる両側の側縁の前記凸部側の端部と、前記凸部の側縁の凸部先端側の端部との間の外周縁に、切込みを備えているフィルタ。
【請求項４】
前記凸部の両側の側縁は、凹形状の曲線部を備えている請求項３に記載のフィルタ。
【発明の詳細な説明】
【技術分野】
【０００１】
本発明は、フィルタに関し、特にドラム式洗濯機用のフィルタに関する。
【背景技術】
【０００２】
ドラム式洗濯機用のフィルタとしては種々のフィルタが販売されている（特許文献１参照）。
【先行技術文献】
【特許文献】
【０００３】
【特許文献１】特許第５８３５７８６号公報
【発明の概要】
【発明が解決しようとする課題】
【０００４】
ところで、ドラム式洗濯機用のフィルタを装着して、糸くずなどのごみを孤立翌回収するためには、フィルタを適切な状態に装着する必要があるところ、これまでのフィルタを適切な状態に装着することは必ずしも容易でなかった。
本発明は、このような問題点に鑑みてなされたものであり、適切な状態に装着することが容易なフィルタを提供することを課題とする。
【課題を解決するための手段】
【０００５】
本発明は、ドラム式洗濯機のリントフィルタ（異物回収器）に装着して使用されるフィルタであり、当該フィルタは、所定幅で長手方向に延びるフィルタ本体を備えていると共に、当該フィルタ本体の長手方向に延びる両側縁のうちの少なくとも何れか一方の側縁に、当該一方の側縁に対して交差する向きに形成された切込みを備えているフィルタである。
【０００６】
ドラム式洗濯機のリントフィルタ（異物回収器）に装着して使用されるフィルタであり、当該フィルタは、所定幅で長手方向に延びるフィルタ本体を備えていると共に、当該フィルタ本体の長手方向の一端部に形成された先細の凸部と、長手方向の他端部に形成された先細部とを備えているフィルタである。
【０００７】
ドラム式洗濯機のリントフィルタ（異物回収器）に装着して使用されるフィルタであり、当該フィルタは、所定幅で長手方向に延びるフィルタ本体を備えていると共に、当該フィルタ本体の長手方向の一端部に形成された先細の凸部を備えており、
さらに、前記フィルタは、前記フィルタ本体の長手方向に延びる両側の側縁の前記凸部側の端部と、前記凸部の側縁の凸部先端側の端部（凸部の先端淵の端部）との間の外周縁に、切込みを備えているフィルタである。
【０００８】
前記凸部の両側の側縁は、凹形状の曲線部を備えている請求項３に記載のフィルタである。
【発明の効果】
【０００９】
本発明に係るドラム式洗濯機用のフィルタであれば、適切な装着状態に容易に装着できるので、洗濯により生じたごみを効率良く回収することができる。
【図面の簡単な説明】
【００１０】
【図１】本発明に係るフィルタを示す平面図である。
【図２】本発明に係るフィルタを示す平面図である。
【図３】本発明に係るフィルタをリントフィルタに装着する状態を説明するための説明図である。
【発明を実施するための形態】
【００１１】
次に、本発明に係るフィルタについて説明する。
ここでは、ドラム式洗濯機用のフィルタについて説明する。
【００１２】
図１に示されるように、本実施形態に係るフィルタは、ドラム式洗濯機のリントフィルタ（異物回収器）に装着して使用されるフィルタである。
【００１３】
フィルタは、シート状で、屈曲（折り曲げ）可能で、通水性を有する素材で構成されたものである。
本実施例では、ポリエステルモノフィラメントで構成された不織布が用いられている。
フィルタは、概略的にはシート状の細長形状の部材であり、所定幅のフィルタ本体10を備えており、フィルタ本体10の両側縁部には、細長形状のフィルタの長手方向の外周を構成する一方の側縁11と、他方の側縁21とを備えている。
また、フィルタは、フィルタの長手方向の一端部に形成された凸部30と、フィルタの長手方向の他端部に形成された先細部40とを備えている。
凸部30及び先細部40は、いずれも、フィルタ本体10と一体の部分であり、不織布で構成されている。
【００１４】
フィルタは、一方の側縁11および他方の側縁21に、切込み12,13,22,23を備えている。
切込みは、側縁に交差する向きに形成されている。
本実施例では、両側縁11,21は、いずれも直線であり、切込み12,13,22,23も直線である。
そして、切込みの向きは、側縁に対して直交する方向である。
切込み12,13,22,23の一端は、側縁に達している。切込みの一端12a,13a,22a,23aから他端12b,13b,22b,23bまでの長さは、フィルタの幅寸法（長手方向Xと直交する幅方向Yの寸法）の長さの５０％より短い。
【００１５】
切込みの数は、各側縁について１つまたは２つ以上の複数である。
本実施例では、各側縁に２つの切込みが形成されている。
ここでは、凸部に近い切込みを第１切込み12,22と称し、先細部に近い切込みを第２切込み13,23と称する。
一方の側縁11の第１切込み12と第２切込み13は、長さが同じである。同様に、他方の側縁21の第１切込み22と第２切込み23も、長さが同じである。
【００１６】
一方の側縁11の第１切込み12と、他方の側縁21の第１切込み22は、同じながさであり、しかも相対向する位置に形成されている。つまり、両第１切込み12,22は、同一の直線状に位置するように配置されている。
一方の側縁11の第２切込み22と、他方の側縁21の第２切込み23も同様に同じ長さであり、相対向する位置すなわち、両第２切込み13,23が同一の直線状に位置するように配置されている。このような構成の他、互い違いに切込みを配置する構成が考えられる。
一方の側縁11の第１切込み12の他端12bと、他方の側縁21の第１切込み22の他端22bとの離間距離D1は、両第１切込み12,22の長さ寸法の合計長さより短い。
第１切込み12,22と第２切込み13,23の長手方向Xの離間距離D2、第１切込み12,22及び第２切込み13,23の長さより長い。
【００１７】
一方の側縁11の第１切込み12の他端部12bと、一方の側縁11の第２切込み13の他端部13bとを結ぶ第１仮想直線V1は、フィルタの長手方向Xに延在することとなり、他方の側縁21の第１切込み22の他端部22bと、他方の側縁21の第２切込み23の他端部23bとを結ぶ第２仮想直線V2も、フィルタの長手方向Xに延在することとなる。
そして、両仮想直線V1,V2に挟まれた領域は、切込みが形成されていない領域である。
【００１８】
凸部30は、先細形状である。凸部30は、フィルタ本体10の両側縁11,21の凸部側端部11a,21aから凸部30の先端側に向けて延びる両側の凸部側縁31,32と、両凸部側縁31,32の先端側の端部31a,32a同士を結ぶ状態に延びている凸部の先端縁33とに囲まれた部分である。
両凸部側縁（凸部先端縁33の端部31a,32aとフィルタ本体10の側縁11,21の凸部側の端部との間の外周縁）31,32は、曲線である。また、両凸部側縁31,32は、フィルタ本体10内部側にえぐれた凹状の曲線であり、円弧形状である。
【００１９】
凸部側縁31,32には、切込み34,35が形成されている。つまり、フィルタ本体10の一方の側縁11の凸部側の端部11aと凸部先端縁33の一方の端部33aとの間に切込み34が形成されており、フィルタ本体10の他方の側縁21の凸部側の端部21aと凸部先端縁33の他方の端部33bとの間に切込み35が形成されている。
各切込み（以下、凸部側切込み）34,35は、フィルタの長手方向Xに延在する。
各凸部側切込み34,35は、その一端が凸部側縁31,32に達している。
【００２０】
一方の凸部側縁31に形成された第１凸部側切込み34と、他方の凸部側縁32に形成された第２凸部側切込み35は、相対向する位置に配置されている。
第１凸部側切込み34の一端部34aと、第２凸部側切込み35の一端部35aとを結ぶ直線の方向は、長手方向Xと直交する方向であり、第１凸部側切込み34の他端部34bと、第２凸部側切込み35の他端部35bとを結ぶ直線の方向は、長手方向Xと直交する方向である。
第１凸部側切込み34の位置は、一方の側縁11の第１切込み12の他端部12bの位置よりもフィルタの幅方向Y外側であり、第２凸部側切込み35の位置は、他方の側縁21の第１切込み22の他端部22bの位置よりもフィルタの幅方向Y外側である。
【００２１】
凸部30は、第１凸部側切込み34と第２凸部側切込み35との挟まれた凸部本体30aと、第１凸部側切込み34よりもフィルタの幅方向外側の第１凸部裾野部30bと、第２凸部側切込み35よりもフィルタの幅方向外側の第２凸部裾野部30cとを備える。
凸部本体30aは、先端縁側33の先端部よりもフィルタ本体側の基部の方が幅方向Yの幅が大きい。また凸部本体30aの基部側の幅寸法は、一対の第１切込み12,22の他端同士の離間距離D1の長さより長い。
第１凸部裾野部30b及び第２凸部裾野部30cは、いずれも、凸部先端縁33側の端部30p,30qが鋭角の頂点になっている。
【００２２】
先細部40は、フィルタ本体10の一方の側縁11の先細部側の端部11bから先細部40の先端側に延びる一方の先細側縁41と、フィルタ本体10の他方の側縁21の先細部側の端部21bから先細部40の先端側に延びる他方の先細側縁42とを備える。そして、先細部40は、さらに、両先細側縁41,42の先端側の端部同士を結んで形成される直線に沿って延びる先細先端縁43を備えている。  
両先細側縁41,42は、いずれも直線であり、先細部40は、台形の形状である。
両先細側縁41,42の長さは、台形の先細先端縁43の長さより長い。
フィルタの先細部40側については、両先細側縁41,42の先端側端部41a,42aを頂点とする台形先端側角部α1,α2と、両先細側縁41,42の基端側端部41b,42bを頂点とする台形基端側角部α3，α4は、いずれも鈍角である。
先細先端縁43の長さは、両第１切込み12,22の他端同士の離間距離D1の長さと同じである。
【００２３】
両先細側縁41,42の基端側端部41b,42b同士を結ぶ第３仮想直線V3は、フィルタの長手方向Xに直交する直線である。また、両凸部側切込み34,35の他端部34b,35b同士を結ぶ第４仮想直線V4も、フィルタの長手方向Xに直交する直線である。
【００２４】
次に、フィルタの使用について説明する。
【００２５】
なお、以後の説明では、第１から第４の仮想直線V1〜V4で囲まれた領域を、フィルタの中心エリアA1と称する。
また、第１、第３および第４仮想直線と、フィルタの外周縁11とで囲まれた領域を、第１側方エリアA2と称する。
また、第２から第４仮想直線と、フィルタの外周縁21とで囲まれた領域を、第２側方エリアA3と称する。
さらに、第１側方エリアA2又は第２側方エリアA3のうち、第１切込み12,22と第２切込み13,23に挟まれた領域を中央舌片部B1,C1と称し、中央舌片部 B1,C1に第１切込み12,21を介して隣接する領域を第１舌片隣接エリアB2,C2と称し、中央舌片部B1,C1に第２切込み13,23を介して隣接する領域を第２舌片隣接エリアB3,C3と称する。
【００２６】
このフィルタは、格子状あるいは円形や多角形の形状の多数の貫通穴が形成された笊（ざる）のような構造のリントフィルタF（フィルタドラム式洗濯機用のリントフィルタに装着して使用されるものである（図３参照）。そして、このフィルタは、特に、装着先であるリントフィルタFの形状が、一側面に開口を有する箱形の形状（断面コ字形の形状）のものにおいて用いるものとして好適である。
【００２７】
ここで、フィルタの装着先であるリントフィルタFは、長方形の底面F1と、底面F1の各長辺に隣接する両側の長手側面F2,F3とを備えると共に、底面F1の一方の短辺および両長手側面の一方の短辺にも隣接する短手側面F4とを有するものである。
また、少なくとも底面F1および両長手側面F2,F3は、格子状あるいは円形や多角形の形状の多数の貫通穴が形成された通水性を有する構造である。
【００２８】
フィルタは、フィルタの中心エリアA1を、リントフィルタFの底面F1に沿わせるように、リントフィルタF内に装着される。
また、フィルタは、凸部30を、リントフィルタFの短手側面F4に沿わせるように、リントフィルタF内に装着される。
さらに、フィルタは、第１側方エリアA2を、リントフィルタFの一方の長手側面F2に沿わせるようにすると共に第２側方エリアA3を、リントフィルタFの他方の長手側面F3に沿わせるように、リントフィルタF内に装着される。
【００２９】
装着時、フィルタの側縁11,21においては、中央舌片部B1の側縁11側の先端部と、舌片隣接エリアB2,B3の側縁11側の先端部とが重なる状態が許容され、中央舌片部C1の側縁21側の先端部と、舌片隣接エリアC2,C3の側縁21側の先端部とが重なる状態が許容される。
つまり、フィルタ装着時、フィルタの側方エリアA2,A3にしわやたわみなどが所持ることが防止されることとなり、フィルタとリントフィルタの内面との間に隙間が生じることが防止される。したがって、ごみを効率よく確実に回収できる状態が確保される。
【００３０】
また、装着時、凸部本体30aと、第１凸部裾野部30b及び第２凸部裾野部30cとが重なる状態が許容される。第１凸部裾野部30b及び第２凸部裾野部30cの先端30p,30qは、鋭角の頂点部を備える構成である。したがって、第１凸部裾野部30b及び第２凸部裾野部30cの先端は、よりスムーズに、凸部本体30aの外側（リントフィルタ側）又は内側（リントフィルタとは反対側）のいずれの側に位置する状態で凸部本体30aと重なる状態に変形することができる。
【００３１】
本フィルタは、必要に応じて、その一部をカットして用いることが可能である。
カットされる位置としては、台形の先細部40を挙げることができる。
つまり、本実施形態のフィルタでは、カットする際のカットラインの始点が、いずれか一方の先細側縁41,42の位置となり、カットラインの終点が残る他方の先細側縁41,42の位置となる。
カットラインの始点や終点が位置する先細側縁41,42が、フィルタ本体10の側縁11,21に対して先細に傾斜する向きに形成されていると、先細形状でない場合と比較すると、カットラインの長さ（カット長さ）が短くなる。カット長さが短くてすむほど、カット後に得られる整形後の形状を予測し易く、所望の形状により正確にカットすることが容易である。
【符号の説明】
【００３２】
10…フィルタ本体、11,21…側縁、12,13,22,23…切込み、
12a,13a,22a,23a…切込みの一端、12b,13b,22b,23b…切込みの他端
30…凸部、30a…凸部本体30a、30b…第１凸部裾野部、30c…第２凸部裾野部、
31,32…凸部側縁、33…凸部先端縁、34,35…切込み、
40…先細部、41,42…先細側縁、43…先細先端縁、
A1…中心エリア、A2…第１側方エリア、A3…第２側方エリア、
B1,C1…中央舌片部、B2,C2…第１舌片隣接エリア、B3,C3…第２舌片隣接エリア、
F…リントフィルタ、F1…長方形の底面、F2,F3…長手側面、F4…短手側面、
V1〜V4…仮想直線。
【図１】
2019017753.tif 000003
【図２】
2019017753.tif 000004
【図３】
2019017753.tif 000005